【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
印刷装置で印刷すべき印刷データの生成と、印刷後処理装置に対する後処理制御情報の生成とを行う情報処理装置であって、
印刷条件及び後処理条件を設定するための基本画面に関する基本表示情報を保持する第１の保持手段と、
前記印刷後処理装置の機能情報を保持する第２の保持手段と、
前記第１の保持手段に保持された基本表示情報と前記第２の保持手段に保持された機能情報とを比較し、前記基本画面に前記第２の保持手段に保持された機能情報を反映させるかを判定する判定手段と、
前記判定手段で前記基本画面に前記機能情報を反映させると判定した場合、前記機能情報を用いて前記基本表示情報を更新する更新手段と、
該更新手段で更新された基本表示情報に基づいて、印刷条件及び後処理条件を設定するための画面を表示する表示手段と、
を備えることを特徴とする情報処理装置。
【請求項２】
前記表示手段で表示された画面を介して設定された情報に基づき、前記印刷データと、前記後処理制御情報とをそれぞれ生成する生成手段を有し、前記生成手段は、前記後処理制御情報をジョブチケットとして生成することを特徴とする請求項１に記載の情報処理装置。
【請求項３】
更に、ネットワークに接続するネットワーク接続手段と、
ネットワークの所定の装置から、ネットワーク上に存在する各印刷後処理装置の機能情報を、前記ネットワーク接続手段を介して受信する受信手段とを備え、
前記第２の保持手段は、前記受信手段で受信した機能情報を格納することを特徴とする請求項１又は２に記載の情報処理装置。
【請求項４】
前記基本表示情報及び前記機能情報は前記表示手段で表示するための情報をタグを用いて記述したデータファイルであることを特徴とする請求項１に記載の情報処理装置。
【請求項５】
前記基本表示情報及び前記機能情報は、表示画面の設定種別をルートとする階層構造に記述され、
前記判定手段は、前記基本表示情報と前記機能情報との同じ階層中に、前記機能情報に前記基本表示情報に存在しない新規情報があるかを判定し、
前記更新手段は、前記判定手段において前記機能情報に前記基本情報に存在しない情報がある場合、前記基本表示情報の該当する階層位置に前記新規情報を組み込むことを特徴とする請求項１に記載の情報処理装置。
【請求項６】
前記更新手段は、前記基本表示情報に前記機能情報を反映させる場合、前記基本表示情報によって生成される印刷設定画面に、前記機能情報を表示可能な領域が存在するか否かを判別し、表示可能な領域が存在しない場合には、新たな印刷設定画面を生成し、前記機能情報を生成した画面に表示させることを特徴とする請求項１に記載の情報処理装置。
【請求項７】
複数の印刷後処理装置それぞれに対応する機能情報が存在し、且つ、機能名が同一である場合、前記更新手段は、予め設定された優先順の高い印刷後処理装置の機能情報を、前記基本表示情報に反映させることを特徴とする請求項１に記載の情報処理装置。
【請求項８】
複数の印刷後処理装置それぞれに対応する機能情報が存在し、且つ、機能名が同一である場合、前記更新手段は、同一表示画面にそれぞれの印刷後処理装置を選択可能とするよう、前記機能情報を前記基本表示情報に反映させることを特徴とする請求項１に記載の情報処理装置。
【請求項９】
印刷装置で印刷すべき印刷データの生成と、印刷後処理装置に対する後処理制御情報の生成とを行う情報処理装置の制御方法であって、
印刷条件及び後処理条件を設定するための基本画面に関する基本表示情報を保持する第１の保持工程と、
前記印刷後処理装置の機能情報を保持する第２の保持工程と、
前記第１の保持工程で保持された基本表示情報と前記第２の保持工程で保持された機能情報とを比較し、前記基本画面に前記第２の保持工程に保持された機能情報を反映させるかを判定する判定工程と、
前記判定工程で前記基本画面に前記機能情報を反映させると判定した場合、前記機能情報を用いて前記基本表示情報を更新する更新工程と、
該更新工程で更新された基本表示情報に基づいて、印刷条件及び後処理条件を設定するための画面を表示する表示工程と、
を備えることを特徴とする情報処理装置の制御方法。
【請求項１０】
コンピュータが読み込み実行することで、前記コンピュータを、印刷装置で印刷すべき印刷データの生成と、印刷後処理装置に対する後処理制御情報の生成とを行う情報処理装置として機能させるコンピュータプログラムであって、
印刷条件及び後処理条件を設定するための基本画面に関する基本表示情報を保持する第１の保持手段と、
前記印刷後処理装置の機能情報を保持する第２の保持手段と、
前記第１の保持手段に保持された基本表示情報と前記第２の保持手段に保持された機能情報とを比較し、前記基本画面に前記第２の保持手段に保持された機能情報を反映させるかを判定する判定手段と、
前記判定手段で前記基本画面に前記機能情報を反映させると判定した場合、前記機能情報を用いて前記基本表示情報を更新する更新手段と、
該更新手段で更新された基本表示情報に基づいて、印刷条件及び後処理条件を設定するための画面を表示する表示手段
として機能させることを特徴とするコンピュータプログラム。
【請求項１１】
請求項１０に記載のコンピュータプログラムを格納したことを特徴とするコンピュータ可読記憶媒体。
【請求項１２】
所定のネットワークに接続された印刷装置、当該印刷装置から排出された記録媒体に対して所定の後処理を行う印刷後処理装置、前記印刷装置に向けて前記ネットワークを介して印刷情報を出力する情報処理装置で構成される製本システムであって、
前記印刷装置は、
印刷後処理装置の、所定の構造化言語で記述された機能情報と、前記印刷後処理装置が稼動可能にあるか否かを示す管理情報を記憶する情報記憶手段と、
前記情報処理装置から所定の要求があった場合、前記情報記憶手段に記憶された管理情報に従って稼動可能状態にある印刷後処理装置の機能情報を前記情報処理装置に送信する送信手段と、
前記情報処理装置から、印刷データ及び印刷後処理装置の処理要求情報を受信した場合、印刷後処理装置に対する処理要求情報を送信すると共に、受信した印刷データに基づき印刷処理を実行する印刷制御手段とを備え、
前記情報処理装置は、
印刷条件及び後処理条件を設定するための基本画面に関する基本表示情報を保持する第１の保持手段と、
前記印刷装置から送信された前記印刷後処理装置の機能情報を保持する第２の保持手段と、
前記第１の保持手段に保持された基本表示情報と前記第２の保持手段に保持された機能情報とを比較し、前記基本画面に前記第２の保持手段に保持された機能情報を反映させるかを判定する判定手段と、
前記判定手段で前記基本画面に前記機能情報を反映させると判定した場合、前記機能情報を用いて前記基本表示情報を更新する更新手段と、
該更新手段で更新された基本表示情報に基づいて、印刷条件及び後処理条件を設定するための画面を表示する表示手段とを備える
ことを特徴とする製本システム。
【手続補正２】
【補正対象書類名】明細書
【補正対象項目名】００１１
【補正方法】変更
【補正の内容】
【００１１】
この課題を解決するため、例えば本発明の情報処理装置は以下の構成を備える。すなわち、
印刷装置で印刷すべき印刷データの生成と、印刷後処理装置に対する後処理制御情報の生成とを行う情報処理装置であって、
印刷条件及び後処理条件を設定するための基本画面に関する基本表示情報を保持する第１の保持手段と、
前記印刷後処理装置の機能情報を保持する第２の保持手段と、
前記第１の保持手段に保持された基本表示情報と前記第２の保持手段に保持された機能情報とを比較し、前記基本画面に前記第２の保持手段に保持された機能情報を反映させるかを判定する判定手段と、
前記判定手段で前記基本画面に前記機能情報を反映させると判定した場合、前記機能情報を用いて前記基本表示情報を更新する更新手段と、
該更新手段で更新された基本表示情報に基づいて、印刷条件及び後処理条件を設定するための画面を表示する表示手段とを備える。